(57)【要約】      （修正有）【課題】財布の底面と側面にファスナーを設け、さらに財布内部には間仕切りもある利便性のよい形状と構造を有するがま口型財布を提供する。【解決手段】口金２が付いたがま口型財布の本体１の底面にファスナー３とその開放時の財布内部にもカード等の物品が入れられるよう袋状の収納部（収納スペース）を設けた。これにより、開放された口金２から中を見るとの袋状の収納部が間仕切りの働きをし、内部が二分割されることからカード類も現金と分離して収納が可能である。さらに、がま口財布本体１の片側外表面あるいは両側外表面にファスナー７を取り付けることにより、口金２を開けることなく内部の硬貨を容易に取り出すことが可能となった。【選択図】図１
0003180799.tif 000002
【実用新案登録請求の範囲】
【請求項１】
口金が付いたがま口型財布の本体の底面にファスナーとその開放時の財布内部に新    たに袋状の収納部を設けたことを特徴とするがま口財布。
【請求項２】
請求項１に記載の袋状の収納部が、口金開放時の財布本体の収納部を二分割する間    仕切りの機能も持つことを特徴とする請求項１記載のがま口財布。
【請求項３】
がま口財布本体の片側外表面あるいは両側外表面に内部の硬貨取り出し用ファスナ    ーを設けたことを特徴とする請求項１に記載のがま口財布。
【考案の詳細な説明】
【技術分野】
【０００１】
本考案は、現金およびカード等を入れて持ち歩く、口金が付いたがま口型の財布に関するものである。
【背景技術】
【０００２】
従来、紙幣や硬貨といった現金を入れて持ち歩くがま口型の財布の形状と構造は、布等で作られた袋状の本体１の上端に口金２が設けられた内部収納、開放型のものが一般的である。このような従来型では、硬貨を収納し持ち歩く際に、硬貨どうしの接触音が大きく、その音を気にする利用者も多く、また硬貨を取り出しにくいといった欠点を指摘する利用者も多い。さらに、最近では銀行カード、クレジットカード、プリペイドカード、あるいは多くの商店から発行されるポイントカードも、紙幣や硬貨といった現金と同様に収納したいという利用者からの要望もあることから、それら要望に対応した新たながま口型財布、例えば財布内部にプラスチック等の弾性のあるクッション材をサンドイッチ状に入れ、硬貨どうしの接触音を低減させたもの（特許文献１）、内部に硬貨用あるいはカード用のポケットや仕切り板を設けたもの、さらには硬貨とカード類も同時収納できるよう二重がま口構造でポケットも付加したがまぐち財布（特許文献２）も考案され、公開されている。
【先行技術文献】
【特許文献】
【０００３】
【特許文献１】特開２００７−１８１５５０号公報
【特許文献２】特開２０００−４９１６号公報
【考案の概要】
【考案が解決しようとする課題】
【０００４】
特許文献１による財布では、クッション材挿入による効果で確実に硬貨どうしの接触音を低減できるが、結局この型式（タイプ）は硬貨専用のがまぐち財布であり、紙幣や各種カードと同時収納については考慮されておらず、また硬貨の取り出しについても利便性があるとはいえない。一方、特許文献２による財布では、二重がま口構造を有し、さらにポケット収納部とそれに付随するシート片を設置することにより、口金開放時に多くの収納部（収納スペース）が確保でき、その結果紙幣、硬貨および各種カードをそれぞれのスペースに任意に収納できるという利点がある。しかし、このような二重がま口構造の財布では、まず高価な口金を複数使用することによる製作コストの上昇が懸念される。次に、内側のがま口素材にさらにポケット用素材も縫い合わせて設けることは、厚みのある仕切り素材が幾重にもなるため、実質的に財布としての収納スペースが少なくなるという欠点が生じ、実用面で課題がある。本考案は、このような課題解決のためになされたもので、すなわちがまぐち財布としての利便性と製作コストの低減を考慮して、特にがま口財布としての利便性、機能性を重視してなされたものである。
【課題を解決するための手段】
【０００５】
以上の課題を解決するため、本考案では、口金が付いたがま口型財布の本体の底面にファスナーとその開放時の財布内部にもカード等の物品が入れられるよう袋状の収納部（収納スペース）を設けた。
【０００６】
また、前記の収納部には、口金開放時の内部収納スペースを二分割する間仕切りの機能も持たせた。この袋状の収納部を構成する素材は、望ましくは布であるが、弾性のあるプラスチック等の高分子材料であってもよい。
【０００７】
さらに、本考案では、がま口財布本体の片側外表面あるいは両側外表面にファスナーを設けた。それらファスナーの取り付け位置と幅は任意であるが、財布内底部の硬貨が取り出しやすい位置、すなわち底面から適当な高さで底面と平行に取り付け、また適度な幅を有することが必要である。
【考案の効果】
【０００８】
第一に、がま口財布本体の底面にファスナーを取り付け、口金開放時とは別の収納部（収納スペース）を設けたことにより、財布として３か所の収納部が設けられたことになり、その結果紙幣や硬貨といった現金の他、各種カードも銀行カードやクレジットカード等重要度の高いものとポイントカード等の比較的重要度の低いものを任意に分別してそれぞれの収納スペースに入れることができるようになった。
【０００９】
第二に、財布内部は布等弾性のある素材で収納スペースが区切られているため、紙幣、硬貨、カードそれぞれの収納枚数に偏りがあっても、財布内部本来の容量内であれば自由自在に収納可能である。また、布等弾性のある素材が財布内部の間仕切り材として利用されているため、硬貨の接触音低減にも十分効果がある
【００１０】
第三に、がま口財布本体の片側外表面あるいは両側外表面に内部の硬貨取り出し用ファスナーを設けたことにより、ファスナー側の収納スペースに入れられた硬貨を、口金を開けることなく容易に、特に底にたまった硬貨も容易に取り出すことができる。
【図面の簡単な説明】
【００１１】
【図１】本考案による一実施形態を示す斜視図である。
【図２】本考案による一実施形態を示す底面図である。
【図３】本考案による一実施形態を示す口金側から見た口金開放時の平面図である。
【図４】本考案による一実施形態を示すファスナーが付いている側の側面図である。
【図５】本考案による一実施形態を示す図４におけるＡ‐Ａ断面図である。
【考案を実施するための形態】
【実施例】
【００１２】
以下、本考案の実施例を図面に基づいて詳細に説明する。図１は本考案の構成を有するがま口財布の、横置き状態における斜視図であり、図２は同じく本考案の構成を有するがま口財布の底面図であり、図３は本考案の構成を有するがま口財布の口金側から見た口金開放時の平面図であり、図４は本考案の構成を有するがま口財布の直立にした状態でのファスナーが付いている側の側面図である。
【００１３】
図１に示すとおり、本実施例におけるがま口財布は、本体１が布製であり、外側の布は柄付きで丈夫な素材の布、内側は無地で丈夫な素材の布であり、この二つの布を縫い合わせたものが本体１の布である。この本体１の上端には金属製の口金２が設けられている。さらに、本体１の底面にはファスナー３、本体の片側外表面にはファスナー７が設けられている。
【００１４】
図２に示すとおり、ファスナー３を開くと本体１の内部には、収納部４が設けられている。収納部４は布製で本体１の内側の布と同じ布であるが、本体１とは違い一枚の布で作られている。収納部４は、図５に示すように、口金２を閉じたときに布が挟み込まれないように口金２と収納部４との間に適度な長さ、すなわち隙間を有している。この収納部４には、カード類でも比較的重要度の低いポイントカードやティッシュなどが入ることを想定し、適度な寸法で収納スペースが確保されている。
【００１５】
図３は、口金開放時の本体１の内部状態を示しており、収納部４によって本体１の内部を収納部５と収納部６に二分割されている。すなわち、図５で示すように収納部４を構成している布が本体１の内部を二分割する間仕切りとしても機能している。
【００１６】
図４は、本体１の片側外表面にファスナー７を設けた平面図であり、ファスナー７は本体１の中心より少し底側に設けられている。ファスナー７は本体１に設けられた収納部５とつながっており、口金２を開けずとも収納部５の底にたまった硬貨を容易に取り出すことが可能な位置に設けられている。
【符号の説明】
【００１７】
１  がま口財布本体
２  口金
３  ファスナー（底面）
４  収納部１（下部）
５  収納部２（側部チャック有）
６  収納部３（側部チャック無）
７  ファスナー（側面）
【図１】
0003180799.tif 000003
【図２】
0003180799.tif 000004
【図３】
0003180799.tif 000005
【図４】
0003180799.tif 000006
【図５】
0003180799.tif 000007